(57)【要約】【課題】高効率迷路式空気処理装置の提供。【解決手段】高効率迷路式空気処理装置は、空気処理装置１殻体１１のダクト１２内に集塵ユニット２を設置し、集塵ユニット２は相互に対応し、交互に排列する少なくとも１枚以上のマイナス(プラス)電気を帯びた集塵板２１により構成し、集塵ユニット２内には迷路が半分閉じたような空気流道２２を形成し、空気処理装置１のダクト１２内には空気イオン化発生器の放電発射端(線)３１とファン４を設置し、ファン４により吸入された空気は、空気イオン化発生器の放電発射端(線)３１付近を経由しイオン化され、こうして空気中の異物粒子はマイナス(プラス)電気を帯び、マイナス(プラス)電気を帯びた空気中の異物粒子は、集塵ユニット２内の迷路式空気流道２２に進入し、集塵ユニット２の迷路式空気流道２２内おいて迂回し、マイナス(プラス)電気を帯びた集塵板２１に衝突し、これにより空気中の異物粒子は、正常な流動状態をかく乱される。【選択図】図１
2011092897.tif 000002
【特許請求の範囲】
【請求項１】
空気処理装置殻体のダクト内に、集塵ユニットを設置し、
前記集塵ユニットは、相互に対応し、交互に排列する少なくとも１枚以上のプラス(マイナス)電気を帯びた集塵板集塵板により構成し、前記集塵ユニット内には、迷路が半分閉じたような空気流道を形成し、
前記空気処理装置のダクト内には、空気イオン化発生器の放電発射端(線)とファンを設置し、
前記ファンが生じる吸引気流により、マイナス(プラス)電気を帯びた空気中の異物粒子を、設計された半封鎖式の、プラス(マイナス)電気を帯びた集塵ユニットが形成する空気流道内壁に導き、マイナス(プラス)電気を帯びた空気中の異物粒子は、その内部のプラス(マイナス)電気を帯びた集塵板に全面的に衝突し、
こうして、マイナス(プラス)電気を帯びた空気中の異物粒子は、気流がもたらす動力により、物質慣性運動と極小粒子のランダム拡散運動を生じ、
流動過程において、気流方向が変化することで、前記プラス(マイナス)電気を帯びた集塵板に何度も衝突し、極めて高い確率で、前記プラス(マイナス)電気を帯びた集塵板に吸着され、これにより、非常に良好な空気清浄効果を達成することを特徴とする高効率迷路式空気処理装置。
【請求項２】
前記各プラス(マイナス)電気を帯びた集塵板の表面には、気流のかく乱作用を備えるスポイラーを設置し、
これにより、マイナス(プラス)電気を帯びた空気中の異物粒子が、前記集塵ユニット内に形成する迷路が半分閉じたような形式の空気流道のプラス(マイナス)電気を帯びた集塵板に衝突するランダムな機会と回数は拡大し、
前記各プラス(マイナス)電気を帯びた集塵板の一面、或いは両面には、気流のかく乱作用を備えるスポイラーを設置し、
これにより、マイナス(プラス)電気を帯びた空気中の異物が、前記空気流道を通過する時には、より多くの乱気流を生じ、前記プラス(マイナス)電気を帯びた集塵板へのランダムな衝突機会と回数を拡大することができ、
こうして集塵効果を向上させることを特徴とする請求項１に記載の高効率迷路式空気処理装置。
【請求項３】
前記プラス(マイナス)電気の集塵ユニットは、世界の実情、及び使用場所の空気の特質に応じて、最良の効果を達成し、清浄な空気を人々に提供するため、数個のプラス(マイナス)電気の集塵ユニットを設置可能であることを特徴とする請求項１に記載の高効率迷路式空気処理装置。
【請求項４】
前記空気イオン化発生器は、マイナス(プラス)電気のイオン発生器であることを特徴とする請求項１に記載の高効率迷路式空気処理装置。
【請求項５】
前記空気イオン化発生器は、プラス（マイナス）静電高圧放電器であることを特徴とする請求項１に記載の高効率迷路式空気処理装置。
【請求項６】
前記空気イオン化発生器の放電発射端(線)は、前記空気流道中に設置するが、前記空気イオン化発生器の本体は、前記空気処理装置のダクトの外に設置し、空気イオン化の効果を向上させることができることを特徴とする請求項１に記載の高効率迷路式空気処理装置。
【請求項７】
高効率迷路式空気処理装置は、空気処理装置殻体のダクト内に、プラス(マイナス)電気の集塵ユニットを設置し、
前記プラス(マイナス)電気の集塵ユニットは、少なくとも１枚のプラス(マイナス)電気の集塵板により構成し、さらに、前記各プラス(マイナス)電気の集塵板の左側、右側に、順番に複数の貫通孔を設置し、
前記プラス(マイナス)電気の集塵ユニット内には、迷路が半分閉じたような形式の空気流道を形成し、前記各２枚のプラス(マイナス)電気の集塵板間には、小型半封鎖空間を形成し、前記マイナス(プラス)電気の片側には、空気イオン化発生器の放電発射端(線)を設置し、反対端には、ファンを設置し、
前記ファンが生じる吸引気流により、マイナス(プラス)電気を帯びた空気中の異物粒子を、第一プラス(マイナス)電気の集塵板の複数貫通孔に導き、ここから、設計された半封鎖式の空気流道内壁に入り、マイナス(プラス)電気を帯びた空気中の異物粒子は、その内部のプラス(マイナス)電気を帯びた集塵板に全面的に衝突し、
こうして、空気中の異物粒子は、流動過程において、前記プラス(マイナス)電気を帯びた集塵板に何度も衝突し、前記プラス(マイナス)電気を帯びた集塵板に吸着され、これにより、非常に良好な空気清浄効果を達成することを特徴とする高効率迷路式空気処理装置。
【請求項８】
前記各プラス(マイナス)電気を帯びた集塵板の表面には、気流のかく乱作用を備えるスポイラーを設置し、
これにより、マイナス(プラス)電気を帯びた空気中の異物粒子が、前記集塵ユニット内に形成する迷路が半分閉じたような形式の空気流道のプラス(マイナス)電気を帯びた集塵板に衝突するランダムな機会と回数は拡大し、
前記各プラス(マイナス)電気を帯びた集塵板の一面、或いは両面には、気流のかく乱作用を備えるスポイラーを設置し、
これにより、マイナス(プラス)電気を帯びた空気中の異物が、前記空気流道を通過する時には、より多くの乱気流を生じ、前記プラス(マイナス)電気を帯びた集塵板へのランダムな衝突機会と回数を拡大することができ、
こうして集塵効果を向上させることを特徴とする請求項７に記載の高効率迷路式空気処理装置。
【請求項９】
前記プラス(マイナス)電気の集塵ユニット中のプラス(マイナス)電気を帯びた集塵板の数は、世界の実情、及び使用場所の空気の特質に応じて、増減可能であることを特徴とする請求項７に記載の高効率迷路式空気処理装置。
【請求項１０】
前記空気イオン化発生器は、マイナス(プラス)電気のイオン発生器であることを特徴とする請求項７に記載の高効率迷路式空気処理装置。
【請求項１１】
前記空気イオン化発生器は、プラス（マイナス）静電高圧放電器であることを特徴とする請求項７に記載の高効率迷路式空気処理装置。
【請求項１２】
前記空気イオン化発生器の放電発射端(線)は、前記空気流道中に設置するが、前記空気イオン化発生器の本体は、前記空気処理装置のダクトの外に設置し、空気イオン化の効果を向上させることができることを特徴とする請求項７に記載の高効率迷路式空気処理装置。
【発明の詳細な説明】
【技術分野】
【０００１】
本発明は高効率迷路式空気処理装置に関し、特に空気処理装置殻体のダクト内に、集塵ユニットを設置し、集塵ユニットは相互に対応し、交互に排列する少なくとも１枚以上のプラス(マイナス)電気を帯びた集塵板により構成し、集塵ユニット内には迷路のような空気流道を形成し、空気処理装置のダクト内には、空気イオン化発生器の放電発射端(線)とファンを設置し、物質慣性運動原理を利用し、ファンが生じる吸引気流により、マイナス(プラス)電気を帯びた空気中の異物粒子を、設計された半封鎖式の、プラス(マイナス)電気を帯びた集塵ユニットが形成するダクト内壁に引き込み、その内部のプラス(マイナス)電気を帯びた集塵板に全面的に衝突させ、こうして既にマイナス(プラス)電気を帯びている空気中の異物粒子は、流動過程において、気流方向が変化することで、集塵板に何度も衝突し、プラス(マイナス)電気を帯びた集塵板に吸着され、最後に、出風口位置において、極めて良好な空気清浄効果を達成する高効率迷路式空気処理装置に関する。
【背景技術】
【０００２】
工商業が急速に発展し、工業生産と商業活動が大量、かつ盛んに行われている現代は、工場及び自動車などの交通機関の排気により、汚染という問題を引き起こしており、人々の健康に重大な影響を及ぼしている。
空気の汚染が深刻である現在、地面、テーブル面、台面近くの空気中には自動車排気中の粉塵や微粒子、さらには毛髪、繊維、及び工業生産により排出された各種の有害排気などが大量に漂流している。
これら目には見えない存在は、有害であり、高濃度である。
しかも、無風状態では、これら有害物質は、重力(地球の引力)の作用を受け、地面、テーブル面、台面位置に落下し、或いは高濃度で大量に浮遊している。
よって一般に、地面及びテーブル面などの近くの汚染物質濃度は、最も高い。
人が動く時に生じる空気の流れ、或いは外界からの自然風は、地面、テーブル面、台面に落下し堆積している有害物質を巻き上げ、再度空気中に撒き散らすため、人はこれら有害物質を絶えず吸入することになってしまい、これが各種疾病の原因となっている。
【０００３】
そのため、空気をクリーンにする空気清浄機が開発された。
従来の空気清浄機の静電集塵板設計は、１本(枚)或いは数本(枚)のプラス(マイナス)電気を帯びた集塵片を機体内(外)に設置するものである。
これにより、その付近を通過するマイナス(プラス)電気を帯びた空気中の異物に対して、吸着作用を生じ、空気ろ過の機能を達成する。
しかし、上記した集塵板では、マイナス(プラス)電気の集塵板に非常に近い、或いは非常にゆっくりと流動している気流中のマイナス(プラス)電気を帯びた異物に対してのみ、吸着作用を発揮することができる。
【０００４】
さらに、従来の空気清浄機では、吸入された空気は、直線の空気トンネルを迅速に通り、出風口から排出される。
そのため、多くの場合には、気流量が大きくスピードが速いマイナス(プラス)電気を帯びた空気中の異物粒子とプラス(マイナス)電気の集塵板との間には、距離があり、しかも空気中の異質粒子は直線に進むため、マイナス(プラス)電気を帯びた空気中の異質粒子の一部は、プラス(マイナス)電気の集塵板のプラス (マイナス)電気吸引力を、逃れてしまい、気流と共に離れて行ってしまう。
よって、そのろ過品質は理想的とは言えない。
しかも、一般的なフィルターを使用するろ過装置は、最小でも0.1μの微粒子までしかろ過できない。
よって、現在市販されている各種空気清浄機はろ過効果が低いため、そのフィルターの洗浄は、多くは数ヶ月に一度で十分である。
すなわちこれは、ろ過効果が低く、ろ過後の空気の質が良くないことを示している。
本発明は、従来の空気処理装置の上記した欠点に鑑みてなされたものである。
【発明の概要】
【発明が解決しようとする課題】
【０００５】
本発明が解決しようとする課題は、空気の流動方向を変えることで、集塵ユニットの集塵効果を向上させる高効率迷路式空気処理装置を提供することである。
【課題を解決するための手段】
【０００６】
上記課題を解決するため、本発明は下記の高効率迷路式空気処理装置を提供する。
高効率迷路式空気処理装置は、空気処理装置殻体のダクト内に、集塵ユニットを設置し、該集塵ユニットは、相互に対応し、交互に排列する少なくとも１枚以上のプラス(マイナス)電気を帯びた集塵板により構成し、該集塵ユニット内には迷路のような半封鎖式の空気流道を形成し、該集塵ユニットの一端の入風口には、空気イオン化発生器の放電発射端(線)を設置し、吸入した空気をイオン化し、こうして空気中の異物粒子はマイナス(プラス)電気を帯び、
物質慣性運動原理を利用し、ファンが生じる吸引気流により、マイナス(プラス)電気を帯びた空気中の異物粒子を、設計された半封鎖式の、プラス(マイナス)電気を帯びた集塵ユニットが形成する空気流道内壁に引き込み、その内部のプラス (マイナス)電気を帯びた集塵板に全面的に衝突させ、
既にマイナス(プラス)電気を帯びている空気中の異物粒子は、流動過程において、気流方向が変化することで、該集塵板に何度も衝突し、プラス(マイナス)電気を帯びた集塵板に吸着され、極めて良好な空気清浄効果を達成し、
こうして、空気は清浄となり、人や動物の呼吸に供することができ、身体と呼吸器の健康を維持するため、空気が汚染されているあらゆる地区で使用でき、
該各プラス (マイナス)電気を帯びた集塵板の一面、或いは両面には、気流のかく乱作用を備えるスポイラーを設置し、
これにより、マイナス(プラス)電気を帯びた空気中の異物が、該空気流道を通過する時には、より多くの乱気流を生じ、該マイナス(プラス)電気を帯びた集塵板へのランダムな衝突機会と回数を拡大することができ、
こうして空気中の異物粒子は、流動過程において、該プラス(マイナス)電気を帯びた集塵板に大量に吸着され、集塵効果を向上させることができる。
【発明の効果】
【０００７】
本発明高効率迷路式空気処理装置は、空気の流動方向を変えることで、集塵ユニットの集塵効果を大幅に向上させることができる。
【図面の簡単な説明】
【０００８】
【図１】本発明第一実施例の立体分解図である。
【図２】本発明の組合せ状態を示す局部断面図である。
【図３】本発明第一実施例において、マイナス(プラス)イオン発生器の放電発射端(線)を空気流道中に設置する状態を示す局部断面図である。
【図４】本発明第二実施例の立体分解図である。
【図５】本発明第二実施例の局部断面図である。
【図６】本発明第二実施例において、マイナス(プラス)イオン発生器の放電発射端(線)を空気流道中に設置する状態を示す局部断面図である。
【発明を実施するための形態】
【０００９】
以下に図面を参照しながら本発明を実施するための最良の形態について詳細に説明する。
【００１０】
図１、２に示すように、本発明高効率迷路式空気処理装置は、空気処理装置１殻体１１のダクト１２内に、集塵ユニット２を設置する。
集塵ユニット２は、相互に対応し、交互に排列する少なくとも１枚以上の集塵板２１により構成する。
集塵ユニット２内には、迷路が半分閉じたような空気流道２２を形成する。
集塵ユニット２一端の入風口２３には、空気イオン化発生器の放電発射端(線)３１とファン４を設置する。
空気イオン化発生器は、マイナス(プラス)イオン発生器、プラス（マイナス）静電高圧放電器などを備えるが、本実施例では、マイナス(プラス)イオン発生器３を例とする。
本実施例は、集塵ユニット２一端の入風口２３に、マイナス(プラス)イオン発生器３の放電発射端(線)３１を設置し、集塵ユニット２の反対端には、ファン４を設置する。
ファン４が生じる吸引気流により、マイナス(プラス)電気を帯びた空気中の異物粒子を導く。
導く先は、設計され、しかも気流の方向を改変可能な、半封鎖式の、プラス(マイナス)電気を帯びた集塵ユニット２が形成する空気流道２２内壁で、プラス(マイナス)電気を帯びた空気中の異物粒子は、その内部のプラス(マイナス)電気を帯びた集塵板２１に全面的に衝突する。
こうして、空気中の異物粒子は、流動過程において、気流方向が変化することで、プラス(マイナス)電気を帯びた集塵板２１に何度も衝突し、極めて高い確率で、プラス(マイナス)電気を帯びた集塵板２１に吸着される。
これにより、非常に良好な空気清浄効果を達成し、マイナス(プラス)電気を帯びた空気中の異物粒子の、設計に基づく半封鎖式の空気流道２２とプラス (マイナス)電気を帯びた集塵板２１への衝突回数を、増やすことができる。
各プラス (マイナス)電気を帯びた集塵板２１の一面、或いは両面には、気流のかく乱作用を備えるスポイラー２１１を設置する。
これにより、マイナス(プラス)電気を帯びた空気中の異物粒子が、空気流道２２を通過する時には、より多くの乱気流を生じ、プラス(マイナス)電気を帯びた集塵板２１への衝突回数を拡大することができる。
マイナス(プラス)電気を帯びた空気中の異物粒子は、流動過程において、プラス(マイナス)電気を帯びた集塵板２１に大量に吸着され、極めて良好な空気清浄効果を達成する。
同時に、空気イオン化発生器の放電発射端(線)３１、マイナス(プラス)イオン発生器３の放電発射端(線)３１、或いはプラス（マイナス）静電高圧放電器の放電発射タングステンフィラメントを、空気流道２２中に設置するため、空気をイオン化する効果を向上させることができる(図３参照)。
【００１１】
図４、５に示すように、本発明の第二実施例は、空気処理装置１殻体１１のダクト１２内に、プラス(マイナス)電気の集塵ユニット５を設置する。
プラス(マイナス)電気の集塵ユニット５は、少なくとも１枚のプラス(マイナス)電気の集塵板５１により構成する。
さらに、各プラス(マイナス)電気の集塵板５１の左側、右側に、順番に複数の貫通孔５２を設置する。
プラス(マイナス)電気の集塵ユニット５内には、迷路が半分閉じたような形式の空気流道５４を形成する。
各２枚のプラス(マイナス)電気の集塵板５１間には、小型半封鎖空間５４１を形成する。
プラス(マイナス)電気の集塵ユニット５の片側には、空気イオン化発生器の放電発射端(線)３１を設置する。
ここでは、マイナス(プラス)イオン発生器３(或いは、プラス（マイナス）静電高圧放電器)を実施例とする。
設置するファン４が生じる吸引気流により、マイナス(プラス)電気を帯びた空気中の異物粒子を導く。
導く先は、第一プラス(マイナス)電気の集塵板５１の複数貫通孔５２で、ここから、半封鎖式の空気流道５４内壁で、プラス (マイナス)電気を帯びた空気中の異物粒子は、その内部のプラス(マイナス)電気を帯びた集塵板５１に全面的に衝突する。
こうして、空気中の異物粒子は、流動過程において、プラス(マイナス)電気を帯びた集塵板５１に何度も衝突し、プラス(マイナス)電気を帯びた集塵板５１に吸着される。
これにより、非常に良好な空気清浄効果を達成する。
さらに、マイナス(プラス)電気を帯びた空気中の異物粒子の、設計に基づく半封鎖式で、プラス(マイナス)電気を帯びた空気流道５４中において、プラス(マイナス)電気を帯びた集塵板５１にランダムに衝突する機会と回数を増やすことができる。
各プラス(マイナス)電気を帯びた集塵板５１の一面、或いは両面には、気流のかく乱作用を備えるスポイラー５３を設置する。
これにより、マイナス(プラス)電気を帯びた空気中の異物粒子が、空気流道５４を通過する時には、より多くの乱気流を生じ、プラス(マイナス)電気を帯びた集塵板５１へのランダムに衝突する機会と回数を拡大することができる。
同時に、空気イオン化発生器の放電発射端(線)３１、マイナス(プラス)イオン発生器３の放電発射端(線)３１、或いはプラス（マイナス）静電高圧放電器の放電発射タングステンフィラメントを、空気流道５４中に設置するが、マイナス(プラス)イオン発生器３に本体は、空気処理装置１のダクト１２外に設置可能であるため、空気をイオン化する効果を向上させることができる(図６参照)。
【００１２】
本発明が示す、空気処理装置１殻体１１のダクト１２内に設置するファン４は、例に過ぎず、実際に空気を吸着し、排出するシステムは、各種空気処理装置１、或いは空気処理システムの設備に応じて設計し、実際に設置する装置を主とする。
しかも、マイナス(プラス)電気の集塵ユニット２、５は、必要に応じて、各種空気処理装置１或いは空気処理システムなどの殻体１１のダクト１２中に設置することができる。
さらに、世界の実情、及び使用場所の空気の特質に応じて、最良の効果を達成し、清浄な空気を人々に提供するため、多層式に設計し、及び数個のプラス(マイナス)電気の集塵ユニット２、５を設置することができる。
【００１３】
本発明プラス(マイナス)電気の集塵ユニット２、５の装置は、大規模な建築物の中央空調システム中に運用することができ、車両、船舶、住宅、教会、ショッピングモール、各種商店、教室、工場、オフィスなどの人が集まる場所に運用することもできる。
さらに、小型の携帯型装置に設計することができ、この場合には、消防士、軍隊、警察などの使用に適用し、その呼吸器と生命を守ることができる。
【００１４】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする。
【符号の説明】
【００１５】
１  空気処理装置
１１  殻体
１２  ダクト
２、５  集塵ユニット
２１、５１  集塵板
２１１、５３  スポイラー
２２、５４  空気流道
２３  入風口
２４  出風口
３  イオン発生器
３１  放電発射端(線)
５２  貫通孔
５４１  小型半封鎖空間
４  ファン
【図１】
2011092897.tif 000003
【図２】
2011092897.tif 000004
【図３】
2011092897.tif 000005
【図４】
2011092897.tif 000006
【図５】
2011092897.tif 000007
【図６】
2011092897.tif 000008